(57)【要約】【課題】  複数の工具を用意する必要が無く、素早く確実に容器の開封作業を行うことができる容器開封具を提供する。【解決手段】  容器開封具１は、筒状に形成される本体部１０と、本体部１０の軸線Ｌ１方向に延設される針状部２０と、を有し、本体部１０は、キャップストリッパ部４０を有する。そして、容器開封具１は、針状部２０の外周に配置され、軸線Ｌ１方向に延設される板状のガイド板３１を複数備えるガイド部３０と、を有する。【選択図】  図２
2020178891.tif 000002
【特許請求の範囲】
【請求項１】
筒状に形成される本体部と、
前記本体部の軸線方向に延設される針状部と、を有し、
前記本体部は、キャップストリッパ部と、
を有することを特徴とする容器開封具。
【請求項２】
前記針状部の外周に配置され、前記軸線方向に延設されるガイド部材を複数備えるガイド部と、
を有することを特徴とする請求項１に記載の容器開封具。
【請求項３】
前記本体部は底部を備え、
前記針状部は、前記底部の内側面から立設して前記軸線上に形成される、
ことを特徴とする請求項１又は請求項２に記載の容器開封具。
【請求項４】
前記本体部は、円錐台状に形成されることを特徴とする請求項１乃至請求項３に記載の容器開封具。
【請求項５】
前記針状部の針先部は、複数の面により形成されることを特徴とする請求項１乃至請求項４の何れか記載の容器開封具。
【請求項６】
前記ガイド部材の先端部は、前記本体部の開口端部よりも内側に位置されることを特徴とする請求項１乃至請求項５の何れか記載の容器開封具。
【請求項７】
前記本体部は底部を備え、
前記キャップストリッパ部は、前記底部にＴ溝状に形成される、
ことを特徴とする請求項１乃至請求項６の何れか記載の容器開封具。
【発明の詳細な説明】
【技術分野】
【０００１】
本発明は、バイアル等の容器を開封するための容器開封具に関する。
【背景技術】
【０００２】
従来から、針状部を有してバイアル等の容器開口部に装着されるゴム栓を開封する容器開封具が開示される。例えば、特許文献１で開示される容器開封具は、ゴム栓を穿刺して、バイアルに充填される液剤を他の容器に移し替えるよう、両端に針先部を備える中空針にて形成される。
【先行技術文献】
【特許文献】
【０００３】
【特許文献１】特開２００６−３２６３６８号公報
【発明の概要】
【発明が解決しようとする課題】
【０００４】
ここで、バイアル等の容器は、キャップが装着される場合がある。当該キャップの種類によっては、該キャップを取り外すキャップストリッパが必要とされる場合がある。しかしながら、特許文献１で開示される容器開封具では、ゴム栓に針状部を挿入することはできるが、キャップを外すためのキャップストリッパを別途用意しなければならない場合がある。
【０００５】
本発明は、複数の工具を用意する必要が無く、素早く確実に容器の開封作業を行うことができる容器開封具を提供することを目的とする。
【課題を解決するための手段】
【０００６】
本発明の容器開封具は、筒状に形成される本体部と、前記本体部の軸線方向に延設される針状部と、を有し、前記本体部は、キャップストリッパ部を有することを特徴とする。
【発明の効果】
【０００７】
本発明によれば、素早く確実に容器の開封作業を行うことができる容器開封具を提供することができる。
【図面の簡単な説明】
【０００８】
【図１】本発明の実施形態に係る容器開封具をキャップストリッパ部側から見た斜視図である。
【図２】本発明の実施形態に係る容器開封具を開口部側から見た斜視図である。
【図３】本発明の実施形態に係る容器開封具の使用方法を説明する図であり、（ａ）は開封するバイアルの全体の断面図であり、（ｂ）は容器開封具及びバイアルの容器本体の一部を省略した断面図であり、バイアルに容器開封具のキャップストリッパ部を装着してキャップを取り外す状態を示す。
【図４】本発明の実施形態に係る容器開封具の使用方法を説明するバイアルの容器本体の一部を省略した断面図であり、（ａ）はゴム栓に針状部を挿入する前の状態を示し、（ｂ）はゴム栓に針状部を挿入した状態を示す。
【発明を実施するための形態】
【０００９】
次に、図に基づいて、本発明の実施形態を説明する。図１及び図２に示す容器開封具１は、バイアルのキャップを取り外し、ゴム栓にスリットを開けるためのものである。容器開封具１は、適宜の樹脂材料を用いた射出成形により一体的に形成される。容器開封具１は、略円錐台状に形成される本体部１０を備える。本体部１０は、大径側を開口部１２とし、小径側には底部１１が設けられ、有底筒状に形成される。
【００１０】
図２に示すように、本体部１０の内部には、本体部１０の開口部１２に向けて軸線Ｌ１方向に延設される針状部２０が形成される。針状部２０は、底部１１の内側面１１ａから軸線Ｌ１上に立設して中実棒状に形成される。針状部２０の基部は、針状部２０の基部から本体部１０の内壁面に放射状に延びる４枚のリブ２１と接続される。針状部２０の針先部２２は、針先部２２の一部を拡大したＰ部拡大図に示すように、複数（４つ）の面２２ａ，２２ｂ，２２ｃ，２２ｄが組み合わさって頂点Ｍが形成される。面２２ａと面２２ｃ及び面２２ｂと面２２ｄは、それぞれ対向して配置される略同形状の面である。そして、一方の対向する面２２ａ，２２ｃは、他方の対向する面２２ｂ，２２ｄよりも大きい面積で形成される。また、一方の対向する面２２ａ，２２ｃのなす角は、他方の対向する面２２ｂ，２２ｄのなす角よりも小さい。本実施形態では、面２２ａ，２２ｃのなす角は３０度とされ、面２２ｂ，２２ｄのなす角は６０度とされる。
【００１１】
針状部２０の外周には、ガイド部３０が配置される。ガイド部３０は、開口部１２に向けて軸線Ｌ１方向に延設される複数のガイド部材とされる板状のガイド板３１を有する。従って、ガイド板３１は径方向に弾発して形成される。複数のガイド板３１は、２枚ずつが組になって、全部で４組（８枚）が軸線Ｌ１（針状部２０）回りに配置される。２枚１組のガイド板３１は、隣り合うリブ２１の間に配置される。各ガイド板３１は、軸線Ｌ１回りの円周方向に湾曲して形成される。ガイド板３１が湾曲する程度は、複数のガイド板３１の内側面により、針状部２０を中心として円が形成される程度とされる。各ガイド板３１の軸線Ｌ１方向の長さは、先端部が揃えられると共に、先端部が本体部１０の開口部１２の開口端部よりも内側に位置される。従って、底部１１の外側面１１ｂ、又は、開口部１２の何れを下側にしても、机上等に安定して載置することができる。なお、針先部２２の頂点Ｍは、軸線Ｌ１方向において、各ガイド板３１の先端部よりも内側に位置される。
【００１２】
なお、ガイド板３１は、軸線Ｌ１方向全体に亘って軸線Ｌ１回りの円周方向に湾曲しているが、先端部から所定長さのみ湾曲させてもよく、又は、湾曲させない場合もある。また、ガイド板３１は、ガイド部材として軸線Ｌ１方向に長尺状に延設されればよく、例えば丸棒状等とすることもできる。
【００１３】
図１に示すように、本体部１０の底部１１には、キャップストリッパ部４０が形成される。キャップストリッパ部４０は、底部１１の底面とされる外側面１１ｂにＴ溝状に形成される。具体的には、キャップストリッパ部４０は、内側面１１ａ側（開口部１２側）に形成される幅広部４０ａと、外側面１１ｂ側に形成されて幅広部４０ａと連通して幅広部４０ａよりも幅が狭い幅狭部４０ｂとにより形成される。また、幅広部４０ａと幅狭部４０ｂとの接続部４０ｃは、幅広部４０ａから幅狭部４０ｂに亘って傾斜している。キャップストリッパ部４０の一方端は閉口端４１とされ、他方端は開放端４２とされる。閉口端４１では、幅広部４０ａ、幅狭部４０ｂ及び接続部４０ｃは、平面視において円弧状に形成される。従って、キャップストリッパ部４０（幅広部４０ａ、幅狭部４０ｂ、接続部４０ｃ）は、平面視において略Ｕ字状に形成される。
【００１４】
次に、容器開封具１で開封されるバイアル８０及び容器開封具１によるバイアル８０の開封手順を図３、図４を用いて説明する。図３（ａ）にその全体の断面図を示すバイアル８０は、内容量が約６０ｍｌ程度の比較的大容量に形成される。内容液が充填される容器本体８１の首部８１ａの開口８１ａ１には、ゴム栓８３が嵌め込まれている。ゴム栓８３の下面（容器本体８１の内部側）には、テフロンシート８２（テフロンメンブレンフィルム）（「テフロン」は登録商標）が貼り付けられている。テフロンシート８２により、容器本体８１に充填される内容液とゴム栓８３との吸着が防止される。
【００１５】
一方、ゴム栓８３の外側には、シート状のアルミカバー８４が設けられる。アルミカバー８４の外側には、樹脂製のキャップ８５が装着されている。アルミカバー８４は、ゴム栓８３から首部８１ａの一部に亘って、容器本体８１の開口部に覆いかぶさる様に設けられる。アルミカバー８４は、バイアル８０の軸線Ｌ２周りの円形の所定範囲（直径φＸ）をキャップ８５と接着され、該所定範囲外をゴム栓８３及び首部８１ａと接着される。
【００１６】
バイアル８０の開封は、先ず、図３（ｂ）に示すように、容器開封具１のキャップストリッパ部４０によりキャップ８５を取り外す。具体的には、キャップストリッパ部４０の幅広部４０ａにキャップ８５を挿入する。キャップストリッパ部４０へのキャップ８５の挿入は、キャップ８５がキャップストリッパ部４０の閉口端４１（図１参照）と当接するまで行う。そして、容器開封具１の本体部１０を一方の手で握り、他方の手でバイアル８０を把持して、キャップ８５の引き抜き方向（図３（ｂ）の上方向）に向けて容器開封具１を引っ張ってキャップ８５を引き抜く。このとき、キャップ８５の開口縁８５ａとキャップストリッパ部４０の接続部４０ｃが当接して、キャップ８５が引き抜かれる。ここで、容器開封具１の本体部１０は、キャップ８５の引き抜き方向に向けて拡径する円錐台形状とされるので、キャップ８５の引き抜きに際して手指に力を入れ易く、キャップ８５を引き抜き易い。バイアル８０からキャップ８５を引き抜くと、キャップ８５と共に、アルミカバー８４の一部（軸線Ｌ２周りの円形の所定範囲（直径φＸ））がキャップ８５と共に引き剥がされる。従って、該所定範囲分だけ、ゴム栓８３の表面が露出する。
【００１７】
次に、容器開封具１の針状部２０により、露出したゴム栓８３の表面からスリットを開ける。図４（ａ）に示すように、容器開封具１を反対側にして、ガイド部３０の各ガイド板３１の内面とバイアル８０のアルミカバー８４の外縁とを合わせる。複数のガイド板３１の内側面で形成される円の直径は、アルミカバー８４の外径と略同一か、やや小さく形成される。従って、各ガイド板３１がアルミカバー８４の外縁と合わせられると、各ガイド板３１が径外方向に弾発する。このようにして、針状部２０は、バイアル８０の軸線Ｌ２に自動調心される。すなわち、針状部２０の針先部２２はゴム栓８３の中心に位置される。
【００１８】
そして、容器開封具１の本体部１０を手指で握って、バイアル８０に向けて押し込む。このとき、容器開封具１の本体部１０の径大側が下側（バイアル８０側）に位置されるので、手指に力が入れ易く、押し込み易い。容器開封具１をバイアル８０に向けて押し込むと、針状部２０がゴム栓８３に挿入される。針状部２０の針先部２２は、複数の面２２ａ，２２ｂ，２２ｃ，２２ｄで形成されるので、ゴム栓８３にはスリットが形成される。また、針先部２２は、複数の面２２ａ，２２ｂ，２２ｃ，２２ｄで形成されるので、軽い力でゴム栓に針状部２０を挿入することができる。ゴム栓８３への針状部２０の挿入は、ガイド板３１の先端がバイアル８０の容器本体８１の肩部８１ｂに当接するまで行う。すると、ゴム栓８３及びテフロンシート８２に亘ってスリットが開けられる。
【００１９】
このようにして、容器開封具１により、バイアル８０のキャップ８５を外してゴム栓８３にスリットを形成する開封作業を素早く確実に行うことができる。開封したバイアル８０は、シリンジにより内容液を吸い出すことができる。すなわち、ゴム栓８３のスリットに、図示しないシリンジのルアー部を挿入して、バイアル８０を上側とすれば、シリンジによりバイアル８０内の内容液を吸い出すことができる。これにより、従来、針が取り付けられたシリンジにより内容液を吸い出す方式に比べて、針自体に被吸着処理を施す必要がない。また、バイアル８０の開封作業からシリンジにより内容液を吸い出す作業を通して、作業者はバイアル８０の口部付近に触れることなくこれらの作業を行うことができ、衛生的である。
【００２０】
また、従来は、バイアル８０はシリンジ１本分の内容液を収容可能とし、シリンジ１本に対して一つのバイアルとしていた。しかしながら、容器開封具１を用いるバイアル８０であれば、ゴム栓８３に形成されるスリットは、バイアル８０を逆さ（ゴム栓８３側を下側）としても、内容液が漏れることはないので、複数本のシリンジ（例えば３本分のシリンジ）に対応した内容液を充填しておくことができる。
【００２１】
内容液が充填されたシリンジは、ルアー部にチューブ等を接続して患者に投与される。なお、バイアル８０は、内容液が抜かれると、抜かれた内容液の分だけ容器本体８１が凹んだ状態となる。バイアル８０は、容器開封具１によりキャップ８５を外してゴム栓８３にスリットを形成して開封した後は、すぐに使い切るようにする。
【００２２】
また、従来は、１回分のプレフィルドシリンジを一度に数本を用いて患者に投与することがあったが、このような場合においても、容器開封具１を用いて開封するバイアル８０とすれば、高価なプレフィルドシリンジを複数本用意することない。さらにまた、バイアル８０内に吸い出されなかった内用液が残っていたとしても、ゴム栓８３の吸い出し口はスリットが形成されるので、バイアル８０内の内容液が外に漏れだすことが低減される。
【００２３】
以上、本発明の実施形態を説明したが、本発明は本実施形態によって限定されることはなく、種々変更を加えて実施することができる。例えば、本実施形態によれば、針状部２０及びガイド板３１は底部１１の内側面１１ａから立設するように形成したが、これに限定されることはなく、例えば本体部１０の内側面から湾曲して延びるように形成してもよい。
【符号の説明】
【００２４】
１        容器開封具                １０      本体部
１１      底部                      １１ａ    内側面
１１ｂ    外側面                    １２      開口部
２０      針状部                    ２１      リブ
２２      針先部
２２ａ，２２ｂ，２２ｃ，２２ｄ    面
３０      ガイド部                  ３１      ガイド板
４０      キャップストリッパ部      ４０ａ    幅広部
４０ｂ    幅狭部                    ４０ｃ    接続部
４１      閉口端                    ４２      開放端
８０      バイアル                  ８１      容器本体
８１ａ    首部                      ８１ａ１  開口
８１ｂ    肩部                      ８２      テフロンシート
８３      ゴム栓                    ８４      アルミカバー
８５      キャップ                  ８５ａ    開口縁
Ｌ１，Ｌ２      軸線                Ｍ        頂点
【図１】
2020178891.tif 000003
【図２】
2020178891.tif 000004
【図３】
2020178891.tif 000005
【図４】
2020178891.tif 000006